(57)【要約】【課題】任意のときに好みのオリジナルデザインを追加したり、あるいは変更したりすることができる携帯用機器を提供する。【解決手段】筐体面上に可逆性多色記録層１０が設けられてなり、この可逆性多色記録層１０は、発色色調の異なる複数の可逆性感熱発色性組成物が封入された微小空隙構造体（マイクロカプセル）２０が、分離・独立して設けられた構成を有するものとし、発色色調の異なる複数の可逆性感熱発色性組成物は、それぞれ異なる波長域の赤外線を吸収して発熱する光−熱変換材料を含有しているものとした携帯用機器を提供する。【選択図】      図１
2004249543.tif 000002
【特許請求の範囲】
【請求項１】
筐体面上に可逆性多色記録層が設けられてなり、
当該可逆性多色記録層は、発色色調の異なる複数の可逆性感熱発色性組成物が封入された微小空隙構造体が、分離・独立して設けられた構成を有し、
上記発色色調の異なる複数の可逆性感熱発色性組成物は、それぞれ異なる波長域の赤外線を吸収して発熱する光−熱変換材料を含有していることを特徴とする携帯用機器。
【請求項２】
上記可逆性多色記録層が、支持体の一主面上に設けられ、
他の一主面が接着面となされた貼り付けシート材が、上記筐体面上に貼り付けられてなることを特徴とする請求項１に記載の携帯用機器。
【請求項３】
上記可逆性多色記録層には、電子供与性を有する呈色性化合物と、電子受容性を有する顕・減色剤とが含有されてなり、
上記電子供与性を有する呈色性化合物と、上記電子受容性を有する顕・減色剤との間の可逆的反応により、発色、あるいは消色の二状態を可逆的に変化するようになされていることを特徴とする請求項１又は２に記載の携帯用機器。
【請求項４】
筐体面上に可逆性多色記録層が設けられてなり、当該可逆性多色記録層は、発色色調の異なる複数の可逆性感熱発色性組成物が封入された微小空隙構造体が、分離・独立して設けられた構成を有し、上記発色色調の異なる複数の可逆性感熱発色性組成物は、それぞれ異なる波長域の赤外線を吸収して発熱する光−熱変換材料を含有しているものとした携帯用機器を用いて、
加熱処理を施して予め上記可逆性多色記録層全体を消色状態にしておき、
所望の画像情報に応じ、選択された可逆性感熱発色性組成物に対応する波長領域の赤外線を照射して露光を行い、発熱せしめ、選択的に発色化させることにより、上記画像情報の記録を行うことを特徴とする可逆性多色記録層の記録方法。
【請求項５】
筐体面上に可逆性多色記録層が設けられてなり、当該可逆性多色記録層は、発色色調の異なる複数の可逆性感熱発色性組成物が封入された微小空隙構造体が、分離・独立して設けられた構成を有し、上記発色色調の異なる複数の可逆性感熱発色性組成物は、それぞれ異なる波長域の赤外線を吸収して発熱する光−熱変換材料を含有しているものとした携帯用機器を用いて、
加熱処理を施して予め上記可逆性多色記録層全体を発色状態にしておき、
所望の画像情報に応じ、選択された可逆性感熱発色性組成物に対応する波長領域の赤外線を照射して露光を行い、発熱せしめ、選択的に消色化することにより、上記画像情報の記録を行うことを特徴とする可逆性多色記録層の記録方法。
【発明の詳細な説明】
【０００１】
【発明の属する技術分野】
本発明は任意の画像、装飾デザイン、各種コンテンツ情報やインデックス等の文字や記号等を、記録及び消去が可能な可逆性多色記録層を具備する携帯用機器及びこれを用いた記録方法に関わる。
【０００２】
【従来の技術】
一般に携帯電話やＰＨＳ等の名称で呼ばれる無線方式の携帯型電話機（以下、単に携帯電話と言う。）は、その大部分が、略矩形状の筐体の一方の面に、ダイアルボタンや液晶表示部、あるいはマイク、スピーカ等の携帯電話の機能に必要な表示部、操作部等が設けられている。
また、デジタルカメラやＰＤＡ（Ｐｅｒｓｏｎａｌ  Ｄｉｇｉｔａｌ  Ａｓｓｉｓｔａｎｔ）やＣＤ、ＭＤ等を利用した携帯用音響機器においても、使用性や美観を高めるために部分的に曲面を利用した複雑な形状を有する筐体の所定の部分に、操作部や表示部等が設けられている。
【０００３】
このような従来公知の各種携帯用機器の筐体は、ユーザーの携帯性を考慮して、通常、軽量で高耐久性を有する硬質プラスチック等により作製されているため、外観が主として黒色や白色やシルバーを基調とした色調等、殆どが単一色よりなり、全体的に外観上の装飾性に劣り、美観上、ユーザーの好みに応じた個性的な差別化を図ることが困難であった。
そのため、携帯用機器の筐体部表面を事後的に着色したり、模様を印刷したりすることにより装飾性を高めた携帯電話等も販売されてはいるが、デザインの好みはユーザー各人各様であり、これらに応じて種々のデザインを施すことは、現実的にコスト高を招来する。
【０００４】
従来においては、携帯電話の筐体に貼り付けるデザイン付きの装飾用シールに関する提案がなされている（例えば、下記特許文献１、２参照。）。
これらは、任意の画像等を予め貼り付け用シート材に記録しておき、これを携帯電話に貼り付けて使用するものであるが、画像を予め記録してから携帯電話の筐体に貼り付けるものであるため、例えば、携帯電話の筐体の向き等、所望の方向に対してずれた状態で貼り付けた場合には修正の手間が煩雑であるという問題がある。
更には、画像のデザインの変更をしたい場合には、貼り付け用シート材を剥離して、新たな貼り付け用シート材を貼付しなければならず、その際、筐体上にシートの粘着物が残存したり、傷を付けたりすることによって美観性を損なうおそれがあるという問題もある。
【０００５】
また、従来においては、携帯電話本体の一部のパネルを交換してデザイン上の個性化を図った、いわゆる「着せ替えパネル」を各種取り揃えた携帯電話も販売されており、パネルの種類は多種多様に用意されている。
しかしこれは、ユーザーは予め用意されたデザインの中から選定するものであり、ユーザー個人のオリジナルデザインをパネル化することはできず、また、デザインを好きな時に変更することは不可能なものであった。
【０００６】
ところで最近においては、熱により可逆的に情報の記録や消去が可能な記録媒体、いわゆる可逆性感熱記録媒体を、各種プリペイドカード、ポイントカード、クレジットカード、ＩＣカード等に応用したものが実用化されている。このような可逆性感熱記録媒体に関しては、ロイコ染料タイプ、すなわち樹脂母材中に電子供与性呈色性化合物であるロイコ染料と、電子受容性の顕・減色剤とが分散された構成を有するものや、これを用いた記録方法についての開示がなされている（例えば、特許文献３〜７参照。）。
【０００７】
このような記録媒体に適用する顕・減色剤としては、ロイコ染料を発色させる酸性基と、発色したロイコ染料を消色させる塩基性基を有する両性化合物または、長鎖アルキルをもつフェノール化合物等が知られている。これらは、ロイコ染料自体の発色を利用するものであるため、コントラストや視認性が良好であるという特長を有している。
【０００８】
しかしながら、上述したような従来公知の可逆性感熱記録媒体は、サーマルヘッドを利用した感熱プリンターを用いて、記録媒体上にサーマルヘッドを接触させて書き換えや消去を行うものであるため、上記のような平滑形状のカード類ににしか応用されていないのが現状であり、また、その記録原理から多色記録するのは困難であった。
【０００９】
また、携帯電話に上記の様な可逆性記録層を設けることを仮定しても、書き換え可能なプリンターが家庭用としては汎用されておらず、また、サーマルヘッドの接触走行により記録を行う方式においては、各種携帯機器のように複雑な形状を有するものに対する走査を行うことは困難であった。
【００１０】
【特許文献１】
特許第３０６１０５２号公報
【特許文献２】
特許第３２６６８８８号公報
【特許文献３】
特開平２−１８８２９３号公報
【特許文献４】
特開平２−１８８２９４号公報
【特許文献５】
特開平５−１２４３６０号公報
【特許文献６】
特開平７−１０８７６１号公報
【特許文献７】
特開平７−１８８２９４号公報
【００１１】
【発明が解決しようとする課題】
上述したように、各種機器の筐体に、ユーザー個人レベルの好みに応じて多色のデザインを施して個性化を図ったり、さらにはこれを消去して新たなデザインを施したりすることのできる携帯用機器への要望は大きいものと考えられるが、その記録方式は未だ見いだされていないのが現状である。
【００１２】
そこで本発明においては、このような従来の問題に鑑みて、携帯用機器の筐体面にユーザーのオリジナルデザインを、安定な発消色、コントラストをもって記録可能とし、しかも日常生活においても実用上問題のない画像安定性を持ち、更には高速で繰り返し消去・記録が可能なものとした。
【００１３】
【課題を解決するための手段】
本発明の携帯用機器は、筐体面上に可逆性多色記録層を有するものであり、この可逆性多色記録層は、発色色調の異なる複数の可逆性感熱発色性組成物が封入された微小空隙構造体が、分離・独立して設けられた構成を有し、可逆性感熱発色性組成物には、それぞれ異なる波長域の赤外線を吸収して発熱する光−熱変換材料が含有されているものとする。
【００１４】
本発明の記録方法においては、筐体面上に、発色色調の異なる複数の可逆性感熱発色性組成物が封入された微小空隙構造体が、分離・独立して設けられた構成を有する可逆性多色記録層が形成されてなり、発色色調の異なる複数の可逆性感熱発色性組成物には、それぞれ異なる波長域の赤外線を吸収して発熱する光−熱変換材料を含有しているものとした携帯用機器を用いて、先ず、加熱処理を施して予め可逆性多色記録層全体を消色状態にしておき、次に所望の画像情報に応じ、選択された可逆性感熱発色性組成物に対応する波長領域の赤外線を照射して露光を行い、発熱せしめ、選択的に発色化させることにより、画像情報の記録を行うものとする。
【００１５】
また、本発明の記録方法においては、筐体面上に、発色色調の異なる複数の可逆性感熱発色性組成物が封入された微小空隙構造体が、分離・独立して設けられた構成を有する可逆性多色記録層が形成されてなり、発色色調の異なる複数の可逆性感熱発色性組成物には、それぞれ異なる波長域の赤外線を吸収して発熱する光−熱変換材料を含有しているものとした携帯用機器を用いて、先ず、加熱処理を施して予め可逆性多色記録層全体を発色状態にしておき、次に、所望の画像情報に応じ、選択された可逆性感熱発色性組成物に対応する波長領域の赤外線を照射して露光を行い、発熱せしめ、選択的に消色化することにより、画像情報の記録を行うものとする。
【００１６】
本発明によれば、安定した発消色が行われ、明瞭なコントラストを有し、かつ優れた画像安定性を持ち、更には高速印字および消去可能な可逆性多色記録層を有する携帯用機器と、これを用いた記録方法が提供される。
【００１７】
また、本発明によれば、ユーザーのオリジナルデザインを好みの各種携帯用機器に付与したり、あるいは適宜デザインを変更したりすることが可能となり、携帯用機器の個性化を高めたり、美観や利便性の向上を図ることが容易に行うことができるようになる。
【００１８】
【発明の実施の形態】
以下、本発明の具体的な実施の形態について、図面を参照して説明するが、本発明の可逆性多色記録層を有する携帯用機器は、以下の例に限定されるものではない。
【００１９】
本発明においては、従来携帯用機器として知られているものを、いずれも適用でき、例えば携帯電話やＰＨＳ等の名称で呼ばれる無線方式の携帯型電話機、各種携帯機能に適したＰＤＡ（Ｐｅｒｓｏｎａｌ  Ｄｉｇｉｔａｌ  Ａｓｓｉｓｔａｎｔ）、デジタルカメラやビデオカメラ、ＣＤ、ＭＤ等を利用した携帯用音響機器等が挙げられるが、これらに限定されるものではない。
【００２０】
本発明の携帯用機器においては、筐体上に、図１にその一例を示すような、可逆性多色記録層１０が形成されているものとする。
この可逆性多色記録層１０は、発色色調の異なる複数の可逆性感熱発色性組成物が、分離・独立してなる微小空隙構造体２０内に、それぞれ封入されてなる構成を有している。微小空隙構造体の例としてマイクロカプセルを挙げ、以下説明する。
【００２１】
図１に示すように、可逆性多色記録層１０は、支持体１上に、第１の発色組成物１１、第２の発色組成物１２、および第３の発色組成物１３が、それぞれ封入されたマイクロカプセル２０が平面状に配列されてなる記録層１４が形成されており、この記録層１４上に保護層１５が形成された構成を有している。
【００２２】
支持体１は、携帯用機器の筐体面自体、もしくは筐体表面上に貼付する貼り付けシート材であるものとする。支持体１は、記録時もしくは消去時に熱変形を生じない程度に耐熱性を有する材料であれば従来公知の材料を適宜使用することができる。
また、支持体１は、画像の記録を行った際の視認性の向上を図るため、白色、あるいは金属色を有する可視光に対する反射率の高い材料によって形成することが好ましく、貼り付けシート材とするときは、筐体表面が白色、あるいは金属色を有する場合には、透明性が高い材料によって形成することが好ましい。
【００２３】
第１〜第３の発色組成物１１〜１３は、熱により可逆的に発色し、または消色する可逆性感熱発色性組成物であるものとし、安定して繰り返し消色状態と発色状態とを制御し得る材料を用いて形成する。これらの第１〜第３の発色組成物１１〜１３には、それぞれ異なる波長の赤外線（図１中λ１、λ２、λ３）を吸収して発熱する光−熱変換材料が含有されているものとする。
【００２４】
これらの第１〜第３の発色組成物１１〜１３には、それぞれが発色する所望の色に応じた所定のロイコ染料が含有されているものとする。例えば第１〜第３の発色組成物１１〜１３において、三原色を発色するようにすれば、この可逆性多色記録層１０全体としてフルカラー画像の形成が可能になる。電子供与性を有する呈色性化合物であるロイコ染料としては、既存の感熱紙用染料等を適用することができる。
【００２５】
また、第１〜第３の発色組成物１１〜１３には、電子受容性を有する顕・減色剤が含有されているものとし、例えば、長鎖アルキル基を有する有機酸（例えば、特開平５−１２４３６０号公報、特開平７−１０８７６１号公報、特開平７−１８８２９４号公報、特開２００１−１０５７３３号公報、特開２００１−１１３８２９号公報等に記載）等を適用することができる。
【００２６】
第１〜第３の発色組成物１１〜１３は、それぞれ異なる波長域に吸収をもつ赤外線吸収色素が含有されているものとし、図１の可逆性多色記録層１０においては、第１の発色組成物１１が波長λ１の赤外線を、第２の発色組成物１２が波長λ２の赤外線を、第３の発色組成物１３が波長λ３の赤外線をそれぞれ吸収して発熱する光−熱変換材料を含有しているものとする。
【００２７】
第１〜第３の発色組成物１１〜１３内に含有される光−熱変換材料としては、可視波長域にほとんど吸収がない赤外線吸収色素として一般的に用いられる、フタロシアニン系染料やシアニン系染料、金属錯体染料、ジインモニウム系染料等を適用できる。なお、任意の光−熱変換材料のみを発熱させ、コントラストを明瞭にするために、光−熱変換材料の波長吸収帯が狭く、かつ互いに重なり合わない材料の組み合わせを選択するのが好ましい。
【００２８】
第１〜第３の発色組成物１１〜１３形成用の樹脂としては、例えばポリ塩化ビニル、ポリ酢酸ビニル、塩化ビニル−酢酸ビニル共重合体、エチルセルロース、ポリスチレン、スチレン系共重合体、フェノキシ樹脂、ポリエステル、芳香族ポリエステル、ポリウレタン、ポリカーボネート、ポリアクリル酸エステル、ポリメタクリル酸エステル、アクリル酸系共重合体、マレイン酸系重合体、ポリビニルアルコール、変性ポリビニルアルコール、ヒドロキシエチルセルロース、カルボキシメチルセルロース、デンプン等を用いることができる。これらの樹脂に必要に応じて紫外線吸収剤等の各種添加剤を併用してもよい。
また、上記樹脂を用いずに、ロイコ染料、顕・減色剤および光−熱変換材料等が微小空隙構造体内に封入された構成としてもよい。
【００２９】
なお、仕切り部材としての微小空隙構造体２０は、特にマイクロカプセルに限定されるものではなく、その他分散媒を封入することが可能なキャピラリーあるいはセル等が挙げられ、微小空隙構造を形成しうるものなら何ら限定されるものではない。また、空隙構造部をより微細にすることで表示装置の解像度を上げることができる。
【００３０】
また、マイクロカプセルのような微小空隙構造体は、所定のバインダーに分散されていても構わず、この場合においてバインダーとしては、水系バインダー、溶剤系バインダー、エマルション系バインダー等を適用できる。
また、記録層１４は、所定の溶媒を用いて上記樹脂中に微小空隙構造体を分散させて作製した塗料を支持基板１上に塗布することによって形成することができる。
記録層１４は、膜厚１〜２０μｍ程度に形成することが望ましく、さらには３〜１５μｍ程度とすることが好ましい。記録層１４の膜厚が薄すぎると充分な発色濃度が得られず、逆に厚過ぎると記録層１４の熱容量が大きくなることによって発色性や消色性が劣化するためである。
【００３１】
保護層１５は、従来公知の紫外線硬化性樹脂や熱硬化性樹脂を用いて形成することができ、支持基板１上に形成された記録層１４を保持するとともに、外部から微小空隙構造体内の発色組成物が見えるように光透過性を有しており、かつ実用上必要な機械的強度を有しているものを適用する。保護層１５の膜厚は０．１〜２０μｍ、さらに好ましくは０．５〜５μｍ程度とすることが望ましい。
【００３２】
以下、可逆性多色記録層１０の作製方法について説明するが、以下においては、上記ロイコ染料、顕・減色剤、光−熱変換材料（赤外線吸収色素）等を主成分とする芯物質をポリマー等の殻物質で覆い、マイクロカプセル化したものを支持基板１上に配列した構成を例として説明するが、本発明は、以下の例に限定されるものではない。
【００３３】
マイクロカプセルの製造方法としては、ポリマー溶液に分散させた分散媒からなる芯物質の周囲にポリマーの濃厚相を分離させる相分離法、ポリマー溶液中の芯物質の周囲にポリマーの硬化試験薬等によりポリマーを硬化させる液中硬化被覆法、芯物質を分散させたエマルジョンの内相、あるいは外相のいずれか一方からモノマーや重合触媒を供給し、芯物質の表面をポリマーで覆うインシチュー重合法、芯物質を分散させたエマルジョンの内相と外相の両方からモノマーを供給する界面重合法等のマイクロカプセル化技法が好適であるが、これらの方法に限定されるものではない。
特に、インシチュー重合法、あるいは、相分離法を用いて製造することにより、粒径の揃った、かつ着色磁性粒子が均一に分散されたマイクロカプセルを製造することができる。ここで用いる重合性モノマーは、アクリル酸エステル、メタクリル酸エステル、スチレン、および、その誘導体、イソシアネート、各種アミン、エポキシ基を有する化合物などが好適である。
マイクロカプセルに用いられる樹脂には、一般に用いられている樹脂、例えばアクリル系樹脂、メタクリル系樹脂、ポリスチレン、ポリエステル樹脂、ポリウレタン樹脂、ポリウレア樹脂、ポリアミド樹脂、エポキシ樹脂、天然樹脂等が挙げられ、これらを単独あるいは２種以上混合して使用することも可能である。
【００３４】
これらの記録層、保護層の形成方法は、例えばオフセット印刷法、グラビア印刷法、シルクスクリーン印刷法等の周知の印刷方式や、ロール塗布法、ナイフエッジ法などの塗布方式、上述のマイクロカプセルを混入した転写層に有する転写シートによる転写方式、また上述のマイクロカプセルを混入したインキを基材に吹き付けるインクジェット方式、支持基板と保護層との間に上述のマイクロカプセルを混入した溶液を充填する方式などの形成方法により作製することができ、作製する情報記録媒体の用途、数量に応じて上述の方式から適宜選択することができる。
【００３５】
次に、図１の可逆性多色記録層１０により、多色記録を行う原理について説明する。
先ず、多色記録の第１の原理を説明する。
図１に示した可逆性多色記録層１０を、各発色組成物が消色する程度の温度、例えば１２０℃程度の温度で全面加熱し、第１〜第３の発色組成物１１〜１３を予め消色状態にしておく。すなわちこの状態においては、支持体１の色が露出している状態となっているものとする。
なお、この消色のための操作は、可逆性多色記録層１０のみを瞬間的に加熱すれば足り、携帯用機器に伝熱しないように行う。
次に、これら可逆性多色記録層１０の任意の部分に、波長および出力を任意に選択した赤外線を半導体レーザー等により照射する。
例えば第１の発色組成物１１を発色させる場合には、波長λ１の赤外線を第１の発色組成物１１が発色温度に達する程度のエネルギーで照射し、光−熱変換材料を発熱させて、電子供与性呈色化合物と電子受容性顕・減色剤との間の発色反応を起こさせ、照射部分を発色させる。
同様に、第２の発色組成物１２および第３の発色組成物１３についても、それぞれ波長λ２、λ３の赤外線を発色温度に達する程度のエネルギーを照射してそれぞれの光−熱変換材料を発熱させて照射部分を発色させる。
【００３６】
このようにすることによって、可逆性多色記録層１０の任意の部分を発色させることができ、全体としてフルカラー画像形成や種々の情報の記録が可能となる。
【００３７】
また、上記のようにして発色させた記録層１４において、さらに任意の波長の赤外線を、第１〜第３の発色組成物１１〜１３が消色温度に達する程度のエネルギーで照射し、光−熱変換材料を発熱させて、電子供与性呈色化合物と電子受容性顕・減色剤との間の消色反応を起こさせることによって、消色化させることができ、任意の画像等を繰り返し記録が可能となる。
【００３８】
更に、上述のようにして一部を着色化させた可逆性多色記録媒体１０の全体を全ての記録層が消色する程度の温度、例えば１２０℃で一様に加熱することによって、記録情報や画像を消去することができ、上述した任意の操作を行うことによって、繰り返し記録が可能である。
【００３９】
次に、多色記録の第２の原理を説明する。
図１に示した可逆性多色記録層１０を、各発色組成物が発色する程度のエネルギーで全面赤外線照射し、第１〜第３の組成物１１〜１３を全て予め発色状態にしておく。
次に、これら可逆性多色記録層１０の任意の部分に、波長および出力を任意に選択した赤外線を半導体レーザー等により照射する。
例えば第１の発色組成物層１１を消色させる場合には、波長λ１の赤外線を第１の発色組成物１１が消色する程度のエネルギーで照射し、光−熱変換材料を発熱させて発色組成物１１を消色状態とする。
同様に、第２の発色組成物１２および第３の発色組成物１３についても、それぞれ波長λ２、λ３の赤外線を、消色温度に達する程度のエネルギーで照射してそれぞれの光−熱変換材料を発熱させて照射部分を消色させることができる。
【００４０】
このようにすることによって、可逆性多色記録層１０の任意の部分を消色させることができ、フルカラー画像形成や種々の情報の記録が可能となる。
また、上記のようにして発色させた記録層１４において、さらに任意の波長の赤外線を、第１〜第３の発色組成物１１〜１３が発色温度に達する程度のエネルギーで照射し、光−熱変換材料を発熱させて、電子供与性呈色化合物と電子受容性の顕・減色剤との間の発色反応を起こさせることによって、発色化させることができる。
【００４１】
更に、上述のようにして一部を消色化、あるいは発色化させた可逆性多色記録層１０の全体を、全ての発色組成物が着色する程度のエネルギーの照射を行うことによって、記録情報や画像を消去することができ、繰り返し記録が可能となる。
【００４２】
可逆性多色記録層１０に対して、上述した記録方法のうち、いずれの方法を適用するかは、記録層１４の特性、記録光源の性能に合わせて適宜選択する。例えば、記録層１４を高温で発色させ、発色温度以下の温度で消色する、いわゆるポジ型の層として形成してもよく、高温で消色させ、消色温度以下の温度で発色する、いわゆるネガ型の層として形成してもよい（例えば特開平８−１９７８５３号公報）。
【００４３】
【実施例】
次に本発明の可逆性多色記録層を有する携帯用機器について、具体的な実施例を挙げて説明するが、本発明は以下に示す例に限定されるものではない。
【００４４】
〔実施例１〕
この例においては、支持体１上に、上述したような第１の発色組成物１１、第２の発色組成物１２、第３の発色組成物１３が、マイクロカプセルＡ〜Ｃ中にそれぞれ封入された構成を有する記録層１４を有し、その上に保護層１５が形成された構成の可逆性多色記録層１０を具備する携帯用機器を作製した。
【００４５】
（マイクロカプセルＡ−イエロー発色）
マイクロカプセルＡ内に内包させる発色組成物の組成は以下のようにした。
ロイコ染料（フルオラン化合物：λｍａｘ＝４９０ｎｍ）：１重量部
【００４６】
顕・減色剤（下記〔化１〕の物質）：４重量部
【００４７】
【化１】
2004249543.tif 000003
【００４８】
シアニン系赤外吸収色素：０．１０重量部
（山本化成製、ＹＫＲ−２０８１、記録層中での吸収波長ピーク９１０ｎｍ）
【００４９】
上記各物質よりなる発色組成物を封入した平均粒径８μｍのマイクロカプセルをマイクロカプセルＡとする。
【００５０】
（マイクロカプセルＢ−シアン発色）
マイクロカプセルＢ内に封入する発色組成物の組成は以下のようにした。
ロイコ染料（山田化学工業製：Ｈ−３０３５（下記〔化２〕に示す物質））：１重量部
【００５１】
【化２】
2004249543.tif 000004
【００５２】
顕・減色剤（下記〔化３〕に示す物質）：４重量部
【００５３】
【化３】
2004249543.tif 000005
【００５４】
シアニン系赤外吸収色素：０．０８重量部
（山本化成製、ＹＫＲ−２９００、記録層中での吸収波長ピーク８３０ｎｍ）
【００５５】
上記発色組成物を内包した平均粒径８μｍのマイクロカプセルをマイクロカプセルＢとする。
【００５６】
（マイクロカプセルＣ−マゼンダ発色）
マイクロカプセルＣ内に内包させる発色組成物の組成は以下のようにした。
ロイコ染料（保土ヶ谷化学社製：Ｒｅｄ  ＤＣＦ；下記［化４］に示す物質）：２重量部
【００５７】
【化４】
2004249543.tif 000006
【００５８】
顕・減色剤（下記〔化５〕に示す物質）：４重量部
【００５９】
【化５】
2004249543.tif 000007
【００６０】
シアニン系赤外吸収色素：０．０８重量部
（日本化薬製、ＣＹ−１０、記録層中での吸収波長ピーク７９０ｎｍ）
【００６１】
上記発色組成物を内包した平均粒径８μｍのマイクロカプセルをマイクロカプセルＣとする。
【００６２】
上記マイクロカプセルＡ、Ｂ、およびＣをポリビニルアルコール水溶液に均一に分散させて作製した塗液を、厚さ１００μｍの展延性を有する半透明の塩化ビニル系樹脂材上に塗布して記録層を形成し、さらに紫外線硬化性樹脂を用いて厚さ３μｍの保護層を形成した。
【００６３】
次に、１２０℃に加熱したセラミックスバーを用いて一様に瞬間加熱し、第１、第２および第３の発色組成物１１、１２、１３を消色状態にした可逆性多色記録層１０を、携帯電話の筐体上にエポキシ系接着剤を用いて設置し、これをサンプルとした。
【００６４】
上記サンプルの可逆性多色記録層１０の任意の位置に、波長が７８５ｎｍ、８３０ｎｍ、９１５ｎｍであり、出力７０ｍＷ、スポット径８０μｍの半導体レーザーを、スキャン速度３００ｍｍ／ｓの条件下でそれぞれ照射し、任意の画像を記録したところ、各半導体レーザーのパワーをコントロールすることによって、明瞭なフルカラーの画像を携帯電話上に作製することができた。
【００６５】
また、上記のようにして画像形成を行った箇所に、波長が７８５ｎｍ、８３０ｎｍ、９１５ｎｍで、出力７０ｍＷ、スポット径８０μｍの半導体レーザーを、スキャン速度３００ｍｍ／ｓの条件下で、それぞれ照射することで、記録部分を消去することができた。更にこの消去部分に、上記書き込み条件で記録したところ、画像が形成できた。これにより本発明の携帯用機器においては、繰り返し記録、および消去により、デザインを適宜変更することが可能であることが確かめられた。
【００６６】
〔実施例２〕
上述した実施例１において説明した可逆性多色記録層１０を、１８０℃に加熱したセラミックスバーにより加熱、続いて冷却し、第１の発色組成物１１、第２の発色組成物１２、および第３の発色組成物１３を、いずれも予め発色状態にした。これを携帯電話の筐体上にエポキシ系接着剤を用いて設置し、これをサンプルとした。
【００６７】
上記サンプルの可逆性多色記録層１０の任意の位置に、波長が７８５ｎｍ、８３０ｎｍ、９１５ｎｍで、出力７０ｍＷ、スポット径８０μｍの半導体レーザーを、スキャン速度３００ｍｍ／ｓの条件下でそれぞれ照射することによって、発色部が消去された。
各半導体レーザーのパワーをコントロールすることによって、明瞭なフルカラーの画像を携帯電話上に作製したり、消去したりすることができた。
【００６８】
上述したように、発色色調の異なる複数の可逆性感熱発色性組成物がそれぞれ封入された微小空隙構造体（マイクロカプセル）が、分離・独立して設けられてなる可逆性多色記録層においては、安定な発消色、コントラストが得られ、かつ日常生活においても実用上問題のない画像安定性を実現でき、更には高速印字・消去可能であることが確かめられた。
また、上述したような可逆性多色記録層を各種携帯用機器の筐体面上に設けることにより、ユーザーのオリジナルデザインを適宜付与したり、あるいは変更したりすることが可能となる。
【００６９】
【発明の効果】
本発明によれば、安定した発消色が行われ、明瞭なコントラストを有し、かつ優れた画像安定性が得られ、更には高速印字および消去可能な可逆性多色記録層を有する携帯用機器と、これを用いた記録方法が提供された。
【００７０】
また、本発明によれば、ユーザーのオリジナルデザインを好みの各種携帯用機器に付与したり、あるいはデザインを変更したりすることが容易に可能となり、個性化を高めたり、美観や利便性の向上を図ることができた。
【図面の簡単な説明】
【図１】本発明の携帯用機器に付与する可逆性多色記録層の一例の概略断面図を示す。
【符号の説明】
１……支持体、１０……可逆性多色記録層、１１……第１の発色組成物、１２……第２の発色組成物、１３……第３の発色組成物、１４……記録層、１５……保護層、２０……微小空隙構造体（マイクロカプセル）
【図１】
2004249543.tif 000008